(57)【要約】【課題】モータやパイプに装着が容易で制振効果が確実な制振具。【解決手段】制振具１のケース２は、半筒部３、４、ヒンジ部５、係止部６、係止受部７を備え、半筒部３、４の内面には粘弾性材層８が積層されている。半筒部３、４を接合する前にモータやパイプの外周を挟んでおき、その後に半筒部３、４を接合して筒状となして単突起６ａと多段突起７ａのいずれかとを係止させるのでモータやパイプ等の外周面に容易に被着できる。単突起６ａと多段突起７ａのいずれかとを係止させるから、モータ等の外周面を半筒部３、４にて締め付けるようにして粘弾性材層８をモータ等の外周面に密着させることができる。よって、密着性が良く、制振効果が十分に発揮される。【選択図】図１
2009014146.tif 000002
【特許請求の範囲】
【請求項１】
硬質合成樹脂製で、筒体を軸方向に沿って２分割したものに相当する２つの半筒部と、
前記２つの半筒部の内面に積層された粘弾性材層と、
前記２つの半筒部を接合して筒状とした状態を維持するためのロック手段と
を備えたことを特徴とする制振具。
【発明の詳細な説明】
【技術分野】
【０００１】
本発明は、モータやパイプ等の外周面に被着される制振具の技術分野に属する。
【背景技術】
【０００２】
モータや振動するパイプ等の外周面に制振材を被着して、振動を低減することが行われている。
【発明の開示】
【発明が解決しようとする課題】
【０００３】
モータやパイプ等の外周面、すなわち曲面に制振材を貼り付けるのは作業性が悪く、密着性も良くないので制振材の効果が十分に発揮されない。
【課題を解決するための手段】
【０００４】
請求項１記載の制振具は、
硬質合成樹脂製で、筒体を軸方向に沿って２分割したものに相当する２つの半筒部と、
前記２つの半筒部の内面に積層された粘弾性材層と、
前記２つの半筒部を接合して筒状とした状態を維持するためのロック手段と
を備えたことを特徴とする。
【０００５】
請求項１記載の制振具は、
硬質合成樹脂製で、筒体を軸方向に沿って２分割したものに相当する２つの半筒部を備えている。２つの半筒部はヒンジ部にて連結されていてもよいし、分離していてもよい。但し、これら２つの半筒部を接合したときに、内側が空洞の筒状になることが必須である。なお、筒状になったときの形状は、円筒状でもよいし多角形筒状でもよい。
【０００６】
半筒部の材料となる硬質合成樹脂としてはＰＰやナイロンが例示される。
その２つの半筒部の内面には粘弾性材層が積層されている。すなわち、半筒部と粘弾性材層とで拘束型の制振材が構成される。粘弾性材としてはゴムやエラストマ等の軟質合成樹脂（硬さがＪＩＳＡ９０以下の合成樹脂）が例示される。
【０００７】
請求項１記載の制振具は、２つの半筒部を接合して筒状とした状態を維持するためのロック手段が備わっているので、２つの半筒部を接合する前の２つの半筒部間にモータやパイプの外周を挟むようにして、その後に２つの半筒部を接合して筒状となしてロック手段にて筒状を維持することで、モータやパイプ等の外周面に容易に被着できる。また、筒状にしたときの内径をモータやパイプ等の外周よりも小さめにしたり、ロック手段を多段階に構成することで、モータ等の外周面に粘弾性材層を密着させることができる。すなわち密着性が良く、制振材の効果が十分に発揮される。
【発明を実施するための最良の形態】
【０００８】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１、２に示すように、本実施例の制振具１は、硬質合成樹脂製のケース２を備えている。
【０００９】
ケース２は、２つの半筒部３、４、それらを連結するヒンジ部５、半筒部３、４の一方に設けられた係止部６、他方に設けられた係止受部７を備えている。
２つの半筒部３、４は円筒体を軸方向に沿って２分割したものに相当する。また、半筒部３、４の内面には粘弾性材（例えばエラストマ）のシートである粘弾性材層８が積層されている。
【００１０】
ヒンジ部５は弾性変形可能であり、ケース２はこのヒンジ部５を支点として半筒部３、４を対面状に接合した状態（図２参照）と、半筒部３、４を分離した状態（図１参照）とに可変である。
【００１１】
係止受部７は半筒部４の縁部から半筒部３側に向かって延出されており、外面部には突起を多段に設けた多段突起７ａが設けられている。
係止部６は縁部から離れた位置で半筒部３の外面から延出されて、半筒部３の外面に沿って縁部方向に延びている。また、先端部の内側には単突起６ａが設けられている。
係止部６と半筒部３の外面との間には間隙が形成されている。この間隙の奥行きは、図２に示すように係止受部７の多段突起７ａを収容可能である。
【００１２】
一方、係止部６と半筒部３の外面との間隔は係止受部７の厚み（多段突起７ａを含む）よりも小さく設計されていて、間隙に係止受部７を挿入すると多段突起７ａのいずれか１つを単突起６ａが係止する。
【００１３】
従って、ヒンジ部５を支点として半筒部３、４を接合して筒状とした状態で、上記のように多段突起７ａのいずれか１つを単突起６ａに係止させれば、２つの半筒部３、４を接合して筒状とした状態を維持することができる（ロック手段に該当する）。
【００１４】
この制振具１は、２つの半筒部３、４を接合して筒状とした状態を維持するためのロック手段として係止部６（単突起６ａ）と係止受部７（多段突起７ａ）とが備わっているので、２つの半筒部３、４を接合する前の２つの半筒部３，４間にモータやパイプの外周を挟むようにして、その後に２つの半筒部３、４を接合して筒状となして単突起６ａと多段突起７ａのいずれかとを係止させることで筒状を維持して、モータやパイプ等の外周面に容易に被着できる。
【００１５】
しかも、単突起６ａと多段突起７ａのいずれかとを係止させる構成であるから、２つの半筒部３、４を接合筒状にしたときの内径は多段突起７ａの山数に応じて可変であり、モータ等の外周面を半筒部３、４（内面の粘弾性材層８）にて締め付けるようにして粘弾性材層８をモータ等の外周面に密着させることができる。すなわち密着性が良く、制振具１による制振効果が十分に発揮される。
［その他］
実施例では、２つの半筒部３、４をヒンジ部５にて連結した構成を採用しているが、ヒンジ部にて連結せずに半筒部３、４を分離していてもよい。その場合、ヒンジ部５に代えて、係止部６（単突起６ａ）及び係止受部７（多段突起７ａ）と同様のロック手段をもう１組設ければよい。
【００１６】
また、モータやパイプ等に制振対策だけでなく、熱対策も必要とされる場合には、粘弾性材や半筒部を構成する硬質合成樹脂に熱伝導性が良好な材質を用いることで、制振対策と同時に熱対策も可能となる。
【図面の簡単な説明】
【００１７】
【図１】実施例の制振具を開いた状態の平面図（ａ）、斜視図（ｂ）、左側面図（ｃ）、正面図（ｄ）、右側面図（ｅ）、底面図（ｆ）。
【図２】実施例の制振具を閉じた状態の平面図（ａ）、斜視図（ｂ）、左側面図（ｃ）、正面図（ｄ）、右側面図（ｅ）、底面図（ｆ）。
【符号の説明】
【００１８】
１・・・制振具、
２・・・ケース、
３、４・・・半筒部、
５・・・ヒンジ部、
６・・・係止部、
６ａ・・・単突起、
７・・・係止受部、
７ａ・・・多段突起、
８・・・粘弾性材層。
【図１】
2009014146.tif 000003
【図２】
2009014146.tif 000004